(57)【要約】【課題】薬剤保持体の着脱作業を容易かつ安全に行えるようにし、かつ部品の破損や紛失を防止できるようにする。【解決手段】薬剤拡散装置は、本体３０と、本体３０の背面側開口に開閉可能に取り付けられ、内面側に薬剤保持体６０を保持可能とされた蓋４０，５０とを備える。蓋４０，５０は下端側が本体３０に回動可能に軸支されて上端側が所定の角度開く構造とされる。蓋４０は上端側に本体３０に向って突出する係止片４３を有し、係止片４３と係合し、蓋４０，５０を閉状態とするフック７４が本体３０に配置される。フック７４はコイルバネ７６により付勢されており、コイルバネ７６の付勢力に抗してフック７４を押圧し、前記係合を解除するレバー７５が本体３０に取り付けられている。【選択図】図２
2012110250.tif 000002
【特許請求の範囲】
【請求項１】
薬剤保持体を収納し、その薬剤保持体に保持されている薬剤を拡散させる薬剤拡散装置であって、
本体と、
前記本体の背面側開口に開閉可能に取り付けられ、内面側に前記薬剤保持体を保持可能とされた蓋とを備え、
前記蓋は下端側が前記本体に回動可能に軸支されて上端側が所定の角度開く構造とされ、
前記蓋は前記上端側に前記本体に向って突出する係止片を有し、
前記係止片と係合し、前記蓋を閉状態とするフックが前記本体に配置され、
前記フックはコイルバネにより付勢されており、
前記コイルバネの付勢力に抗して前記フックを押圧し、前記係合を解除するレバーが前記本体に取り付けられていることを特徴とする薬剤拡散装置。
【請求項２】
請求項１記載の薬剤拡散装置において、
前記薬剤保持体に嵌合部が突出形成され、
前記嵌合部と嵌合して前記薬剤保持体を保持する保持部が前記蓋に突出形成されていることを特徴とする薬剤拡散装置。
【請求項３】
請求項２記載の薬剤拡散装置において、
前記蓋は内蓋と外蓋とよりなり、それら内蓋と外蓋はそれぞれ前記本体に回動可能に軸支され、
前記係止片は前記外蓋に形成され、前記保持部は前記内蓋に形成され、前記内蓋には前記外蓋側に突出するバネ片が一体形成されており、
前記内蓋と前記外蓋は前記上端側において互いに回動可能に係合されると共に、前記バネ片のバネ力により互いに反対方向に回動付勢されていることを特徴とする薬剤拡散装置。
【請求項４】
請求項３記載の薬剤拡散装置において、
前記内蓋は板部と、その板部から突出形成されて前記本体に軸支される軸支部とを有し、
前記板部から曲げ起こされて前記バネ片が形成され、
前記保持部は前記板部の上半部側において前記板部の側壁に形成され、
前記側壁の根元部分には複数のスリットが貫通形成されていることを特徴とする薬剤拡散装置。
【請求項５】
請求項２乃至４記載のいずれかの薬剤拡散装置において、
前記閉状態において前記蓋に保持された前記薬剤保持体を前記嵌合部と前記保持部の嵌合方向に押圧するバネが前記本体に取り付けられていることを特徴とする薬剤拡散装置。
【請求項６】
請求項５記載の薬剤拡散装置において、
前記薬剤保持体は前記嵌合方向の前端面に一対の電極を備え、
前記電極と弾接する一対の電気接点が前記本体に配置され、
前記一対の電極間には前記薬剤保持体識別用の抵抗体が配置されていることを特徴とする薬剤拡散装置。
【請求項７】
請求項１乃至６記載のいずれかの薬剤拡散装置において、
前記薬剤を拡散させるファンが前記本体内に収納されていることを特徴とする薬剤拡散装置。
【請求項８】
請求項７記載の薬剤拡散装置において、
前記本体の側面の周縁に、排気口をなす隙間が形成され、
前記本体の側面において前記蓋との間に吸気口をなす隙間が構成されていることを特徴とする薬剤拡散装置。
【発明の詳細な説明】
【技術分野】
【０００１】
この発明は薬剤保持体を収納し、その薬剤保持体に保持されている薬剤を雰囲気中に拡散させる薬剤拡散装置に関する。
【背景技術】
【０００２】
図１８はこの種の薬剤拡散装置の従来例として特許文献１に記載されている気流拡散装置の構成を示したものである。気流拡散装置は前面ケース１２と後面ケース１３とからなる気流拡散装置本体１１とファン１４と薬剤を保持するための薬剤保持体１５とを備えて構成されている。
【０００３】
前面ケース１２の中央部には排気口１６が設けられ、排気口１６の前方には排気口１６を覆うように遮蔽板１７が取り付けられている。後面ケース１３には円弧形状をなす４個の吸気口１８が円周方向に等間隔に形成されている。また、前面ケース１２と後面ケース１３とを合体・閉塞させるときに使用する可撓係止片１９が吸気口１８の下側に設けられている。
【０００４】
ファン１４は直流ブラシモータ２１と旋回翼２２からなり、直流ブラシモータ２１の回転軸２１ａに旋回翼２２が固定されている。風洞部２３は隔壁２４の中央部に形成されており、後面ケース１３の吸気口１８から導入された気流を前面ケース１２の排気口１６に流通させるための開口として機能する。
【０００５】
直流ブラシモータ２１はモータ装着部２５に装着され、これによりファン１４が排気口１６と吸気口１８とを接続する気流の経路の途中に配設される。薬剤保持体１５はファン１４の背面側において隔壁２４に設けられている薬剤保持体取付部２６に取り付けられている。なお、気流拡散装置本体１１内には図示を省略しているが、電池ケースが配置されている。
【０００６】
後面ケース１３の上端部には前面ケース１２の係合部２７に係止される係止突部２８が形成されており、前面ケース１２の下端部には後面ケース１３の可撓係止片１９が係止される係合部２９が形成されている。これにより、前面ケース１２の係合部２７に後面ケース１３の係止突部２８を係止させてから、後面ケース１３を前面ケース１２に合体させ、後面ケース１３の可撓係止片１９を前面ケース１２の係合部２９に係止させることで、後面ケース１３と前面ケース１２とが合体・閉塞されるものとなっている。
【０００７】
上記のような構成とされた気流拡散装置ではファン１４により吸気口１８から気流を導入し、導入された気流が薬剤保持体１５の担体１５ａ内を通過し、薬剤を含んで排気口１６から拡散されるものとなっており、この際、遮蔽板１７によって放射状に拡散されるものとなっている。
【先行技術文献】
【特許文献】
【０００８】
【特許文献１】特開２００９−１７２３６１号公報
【発明の概要】
【発明が解決しようとする課題】
【０００９】
ところで、この種の薬剤拡散装置では薬剤保持体は消耗品であるため、薬剤保持体をある頻度で交換する必要がある。図１８に示した従来の構成では薬剤保持体１５の交換作業（着脱作業）を行う際、後面ケース１３を取り外す必要があるため、この際、例えば後面ケース１３の破損や紛失が生じる恐れがある。
【００１０】
また、後面ケース１３を取り外す際には可撓係止片１９の係止の解除が必要となるが、可撓係止片１９は装置下部に設けられているため、係止解除作業を行うためには装置を持ち上げた方がやり易く、つまり装置がテーブル等の上に設置されている状態のままで、後面ケース１３の取り付け・取り外し作業を行いづらいものとなっていた。
【００１１】
さらに、後面ケース１３及び薬剤保持体１５を取り外した状態では、ファン１４等が内蔵されている前面ケース１２の内部が大きく露出するため、内部構造物に触れることができ、内部構造物の破損や怪我等が生じる危険があった。
【００１２】
この発明の目的は上述した問題に鑑み、薬剤保持体の着脱作業を容易かつ安全に行えるようにし、かつ部品の破損や紛失を防止できるようにし、これらの点で使い勝手が良い薬剤拡散装置を提供することにある。
【課題を解決するための手段】
【００１３】
請求項１の発明によれば、薬剤保持体を収納し、その薬剤保持体に保持されている薬剤を拡散させる薬剤拡散装置は、本体と、本体の背面側開口に開閉可能に取り付けられ、内面側に薬剤保持体を保持可能とされた蓋とを備え、蓋は下端側が本体に回動可能に軸支されて上端側が所定の角度開く構造とされ、蓋は上端側に本体に向って突出する係止片を有し、係止片と係合し、蓋を閉状態とするフックが本体に配置され、フックはコイルバネにより付勢されており、コイルバネの付勢力に抗してフックを押圧し、前記係合を解除するレバーが本体に取り付けられているものとされる。
【００１４】
請求項２の発明では請求項１の発明において、薬剤保持体に嵌合部が突出形成され、前記嵌合部と嵌合して薬剤保持体を保持する保持部が蓋に突出形成されているものとされる。
【００１５】
請求項３の発明では請求項２の発明において、蓋は内蓋と外蓋とよりなり、それら内蓋と外蓋はそれぞれ本体に回動可能に軸支され、前記係止片は外蓋に形成され、前記保持部は内蓋に形成され、内蓋には外蓋側に突出するバネ片が一体形成されており、内蓋と外蓋は上端側において互いに回動可能に係合されると共に、前記バネ片のバネ力により互いに反対方向に回動付勢されているものとされる。
【００１６】
請求項４の発明では請求項３の発明において、内蓋は板部と、その板部から突出形成されて本体に軸支される軸支部とを有し、板部から曲げ起こされて前記バネ片が形成され、前記保持部は板部の上半部側において板部の側壁に形成され、側壁の根元部分には複数のスリットが貫通形成されているものとされる。
【００１７】
請求項５の発明では請求項２乃至４のいずれかの発明において、前記閉状態において蓋に保持された薬剤保持体を前記嵌合部と前記保持部の嵌合方向に押圧するバネが本体に取り付けられているものとされる。
【００１８】
請求項６の発明では請求項５の発明において、薬剤保持体は前記嵌合方向の前端面に一対の電極を備え、前記電極と弾接する一対の電気接点が本体に配置され、一対の電極間には薬剤保持体識別用の抵抗体が配置されているものとされる。
【００１９】
請求項７の発明では請求項１乃至６のいずれかの発明において、薬剤を拡散させるファンが本体内に収納されているものとされる。
【００２０】
請求項８の発明では請求項７の発明において、本体の側面の周縁に、排気口をなす隙間が形成され、本体の側面において蓋との間に吸気口をなす隙間が構成されているものとされる。
【発明の効果】
【００２１】
この発明によれば、蓋は本体に回動可能に軸支されて取り付けられて本体と一体となっているため、蓋を紛失する恐れがなく、また取り外して扱われることがないため、蓋を破損するといった状況も生じにくいものとなっている。
【００２２】
さらに、レバーの操作により蓋を簡単に開くことができ、蓋開閉時に薬剤拡散装置を持ち上げるといった作業は不要となるため、薬剤保持体の着脱作業を簡易に行うことができる。
【００２３】
加えて、蓋は所定の角度開く構造とされ、蓋を開いた時、本体内部が大きく露出するといった状況は発生しないため、内部構造物の破損や怪我等が生じる危険も少なく、これらの点で極めて使い勝手の良い薬剤拡散装置を実現することができる。
【図面の簡単な説明】
【００２４】
【図１】この発明による薬剤拡散装置の一実施例の外観を示す斜視図。
【図２】図１に示した薬剤拡散装置の外蓋を開いた状態を示す斜視図。
【図３】図２の状態の部分断面図。
【図４】外蓋及び内蓋が取り付けられる前の本体を背面側から見た斜視図。
【図５】外蓋の形状を示す斜視図。
【図６】内蓋の形状を示す斜視図。
【図７】Ａ，Ｂは薬剤保持体の構成を示す斜視図、Ｃは薬剤保持体の底面図、ＤはＣにおける基板の平面図。
【図８】フックの形状を示す斜視図。
【図９】レバーの形状を示す斜視図。
【図１０】フックとレバーとコイルバネの配置関係を示す斜視図。
【図１１】レバーの本体への取り付けを説明するための図。
【図１２】本体の収納部の側壁面に形成されている溝部分の構成を示す部分拡大斜視図。
【図１３】外蓋を閉じる動作を説明するための図。
【図１４】係止片とフックの係合状態を示す図。
【図１５】内蓋への薬剤保持体の装着を説明するための図。
【図１６】外蓋及び内蓋の軸支部分にねじりバネを配置した状態を示す図。
【図１７】内蓋・外蓋の二重構造に替えて外蓋のみとした場合の外蓋の形状を示す斜視図。
【図１８】薬剤拡散装置の従来例を示す図、Ａは背面側から見た斜視図、Ｂは断面図。
【発明を実施するための形態】
【００２５】
この発明の実施形態を図面を参照して実施例により説明する。
【００２６】
図１はこの発明による薬剤拡散装置の一実施例の外観を示したものであり、図１中、３０は本体を示し、４０は外蓋を示す。図２は外蓋４０を開いた状態を示したものであり、図３は外蓋４０を開いた状態の断面構造を示したものである。この例では薬剤拡散装置は本体３０に外蓋４０と内蓋５０が取り付けられ、薬剤保持体６０は内蓋５０に保持される構造となっている。図４は外蓋４０及び内蓋５０が取り付けられる前の本体３０を背面側から見た状態を示したものである。
【００２７】
まず、外蓋４０と内蓋５０の形状について説明する。
【００２８】
外蓋４０は図５に示したように若干湾曲された略方形の板部４１と、その板部４１の板面から突出形成された一対の軸支部４２及び一対の係止片４３とよりなる。一対の軸支部４２は外蓋４０の下端において左右両端部に設けられており、各軸支部４２には軸穴４２ａがそれぞれ形成されている。一対の係止片４３は外蓋４０の上端側において左右両端部に設けられており、その先端には係止爪４３ａが下向きに突出して形成されている。また、各係止片４３には基端側から中央にかけて長円穴４３ｂが形成されている。
【００２９】
内蓋５０は図６に示したように平板状の板部５１を有しており、板部５１の下端には一対の軸支部５２が形成されている。一対の軸支部５２は板部５１の左右両端部において板部５１に対して傾きを持って下方に突出されており、先端には軸穴５２ａがそれぞれ形成されている。また、先端の上面には本体３０に取り付けられた際の本体３０に対する回動を規制するための規制面５２ｂが形成されている。
【００３０】
板部５１の下半部には一対のバネ片５３が曲げ起こされて形成されている。バネ片５３は上下方向に伸長して形成されており、上端が遊端とされている。バネ片５３は板部５１の背面５１ｂ側に突出するように形成されている。
【００３１】
一方、板部５１の上半部側の左右両端には側壁５４が形成されている。側壁５４は板部５１の前面５１ａ側に突出して形成されている。一対の側壁５４には互いに内向きに突出してひさし状をなすように保持部５５が形成されている。保持部５５は側壁５４の上下方向中間部から下端にかけて形成されている。側壁５４の下端には板部５１と側壁５４と保持部５５とで囲まれた部分を閉塞する閉塞部５６が形成されている。
【００３２】
一対の側壁５４の上端部分には互いに外向きに突出する軸５７が形成されており、軸５７の先端部は下向きに突出して長円形をなすものとされ、この長円形部分によって抜け止め５７ａが形成されている。また、各側壁５４の根元部分には板部５１にまたがって複数のスリット５８が上下方向に配列されて貫通形成されている。これらスリット５８は通気孔として機能する。
【００３３】
図７は内蓋５０に保持される薬剤保持体６０の構成を示したものであり、薬剤保持体６０は方形状の枠体６１内に薬剤を保持した担体６２が収納固定されて構成されている。薬剤は例えば殺虫剤や防虫剤とされる。なお、薬剤は殺虫剤や防虫剤に限らず、芳香剤や消臭剤等であっても良く、用途に応じて選定される。
【００３４】
枠体６１には内蓋５０に形成されている保持部５５と嵌合する一対の嵌合部６３が突出形成されている。嵌合部６３は枠体６１の対向二辺に、辺に沿って伸長して形成されており、断面Ｌ字状とされ、Ｌ字の一辺が互いに外向きになるように形成されている。なお、各嵌合部６３の上端は閉塞部６３ａによって閉塞されている。
【００３５】
枠体６１の下面には図７Ｃに示したように基板６４が配置されており、基板６４には一対の電極６５が図７Ｄに示したように形成されている。一対の電極６５間には抵抗体６６が接続配置されている。抵抗体６６は薬剤保持体６０を識別するために使用される。この点については後述する。
【００３６】
次に、本体３０側の構成について説明する。
【００３７】
本体３０の背面側には薬剤保持体６０を収納する収納部３１が図４に示したように形成されており、この収納部３１によって大きな開口が構成されている。収納部３１の内部底面にはこの例では風洞部３２が開口しており、この風洞部３２内にファン７１が収納配置されている。
【００３８】
本体３０の背面の下端側には一対の支持部３３が突出形成されており、各支持部３３の左右両面にはそれぞれ軸３３ａが突出形成されている。なお、各支持部３３の両側には開口３３ｂが設けられている。
【００３９】
収納部３１の４つの内壁面のうち、底壁面３１ａには板バネ材よりなる一対の電気接点７２が配置されている。また、収納部３１の上壁面３１ｂには一対のバネ７３が取り付けられている。バネ７３はこの例では板バネ材によって形成されている。
【００４０】
一方、収納部３１の両側壁面３１ｃ，３１ｄにはそれぞれ上端側に溝３４が形成されており、これら溝３４が形成されている箇所にそれぞれフック７４とレバー７５とコイルバネ７６が配置されている。
【００４１】
図８及び図９は一方の側壁面３１ｃ側に配置されているフック７４及びレバー７５の形状を示したものであり、他方の側壁面３１ｄ側に配置されているフック７４及びレバー７５の形状はこれら図８及び図９に示した形状と面対称の形状とされる。
【００４２】
フック７４は水平板部７４ａと脚部７４ｂ，７４ｃとよりなり、一方の脚部７４ｂは水平板部７４ａの前端側に位置され、他方の脚部７４ｃは水平板部７４ａの中間部に位置されている。これら脚部７４ｂ，７４ｃ間において水平板部７４ａには切り欠き７４ｄが形成されており、この切り欠き７４ｄより前端側に係合部７４ｅが形成されている。係合部７４ｅの前端側には傾斜面７４ｆが形成されている。
【００４３】
レバー７５は垂直板部７５ａと、その一面側に突出形成された操作部７５ｂと、反対面側に突出形成された３つの突起７５ｃ〜７５ｅとよりなる。操作部７５ｂは長円形をなして突出されており、その天面には細幅の複数の突条７５ｆが配列形成されている。なお、垂直板部７５ａには長円穴７５ｇが２箇所に形成されている。
【００４４】
図１０はフック７４とレバー７５とコイルバネ７６の配置関係を示したものであり、レバー７５の３つの突起７５ｃ〜７５ｅはフック７４の水平板部７４ａ上に位置し、コイルバネ７６はフック７４の水平板部７４ａの下に位置する配置となる。
【００４５】
フック７４とレバー７５とコイルバネ７６は図１０に示したような配置関係となるように本体３０に取り付けられる。この際、レバー７５の２つの長円穴７５ｇには図１１に示したように本体３０に設けられている軸部３５ａ，３５ｂがそれぞれ係合されて位置され、これによりレバー７５は軸部３５ａ，３５ｂによって案内されて本体３０の上下方向に移動可能とされる。なお、レバー７５の操作部７５ｂは本体３０の側板３６に形成されている長円穴３６ａを介して外部に突出される。
【００４６】
図１２は本体３０の収納部３１の側壁面３１ｃに形成されている溝３４の部分を拡大して示したものであり、フック７４はコイルバネ７６（図１２では隠れてわずかしか見えない）によって上方に付勢されており、レバー７５はフック７４を介してコイルバネ７６により上方に付勢されている。これにより、レバー７５の操作部７５ｂは図４に示したように本体３０の側板３６の長円穴３６ａの上端に突き当たった状態となる。
【００４７】
次に、本体３０に対する内蓋５０及び外蓋４０の取り付けについて説明する。
【００４８】
内蓋５０及び外蓋４０の本体３０への取り付けに際しては、まず内蓋５０と外蓋４０が組み立てられる。内蓋５０と外蓋４０の組み立ては内蓋５０の一対の軸５７を外蓋４０の係止片４３の長円穴４３ｂにそれぞれ挿入係合させることによって行われる。長円穴４３ｂへの軸５７の挿入は、軸５７の先端に長円形をなして突出している抜け止め５７ａの長径方向を、長円穴４３ｂの長径方向に一致させて嵌め込むことによって行われる。これにより、内蓋５０は一対の軸５７を介し、抜け止め５７ａによって抜け止めされて外蓋４０の一対の係止片４３間に支持される。内蓋５０は長円穴４３ｂの長さ分、移動可能とされ、かつ回動可能とされる。
【００４９】
これら内蓋５０及び外蓋４０はそれぞれ本体３０の一対の支持部３３に取り付けられる。内蓋５０の一対の軸支部５２の軸穴５２ａは、一対の支持部３３に互いに内向きに突設されている軸３３ａに係合され、外蓋４０の一対の軸支部４２の軸穴４２ａは、一対の支持部３３に互いに外向きに突設されている軸３３ａに係合され、これにより内蓋５０及び外蓋４０は本体３０に回動可能に軸支される。
【００５０】
なお、内蓋５０の一対の軸支部５２の先端に設けられている規制面５２ｂは、本体３０の支持部３３の脇に設けられている開口３３ｂに挿入位置され、開口３３ｂの上壁面に突き当たることにより、内蓋５０及び内蓋５０と一体化されている外蓋４０の回動が規制される構造となっている。つまり、図２及び図３に示したように、内蓋５０及び外蓋４０は所定の角度しか開かない構造となっており、開いた状態では図２及び図３に示した状態となる。
【００５１】
内蓋５０及び外蓋４０を閉じる際には、外蓋４０の外面を図１３に示したように矢印方向に押圧することによって行われる。外蓋４０の一対の係止片４３の係止爪４３ａは本体３０に配置されているフック７４の係合部７４ｅを押圧し、コイルバネ７６の付勢力に抗してフック７４を押し下げ、係合部７４ｅを乗り越える。図１４はこの状態を示したものであり、係止片４３の係止爪４３ａはフック７４の係合部７４ｅに係合して係止され、これにより外蓋４０は閉状態となって本体３０に固定される。係止片４３とフック７４の係合の解除は本体３０の側板３６に突出位置されているレバー７５の操作部７５ｂを押し下げることによって行われる。
【００５２】
次に、薬剤保持体６０の装着について説明する。薬剤保持体６０の装着は図１５に示したように薬剤保持体６０を内蓋５０の内面側（板部５１の前面５１ａ側）に矢印方向に挿入することによって行われる。この挿入により、薬剤保持体６０に形成されている嵌合部６３は内蓋５０に形成されている保持部５５に嵌合され、薬剤保持体６０は内蓋５０の内面側に図２及び図３に示したように保持される。
【００５３】
薬剤保持体６０を装着した後、外蓋４０を閉じることによって薬剤保持体６０は本体３０の収納部３１に収納される。内蓋５０には外蓋４０側に突出する一対のバネ片５３が形成されており、内蓋５０と外蓋４０はバネ片５３のバネ力により互いに反対方向に回動付勢されているため、外蓋４０を閉じた際には、このバネ片５３のバネ力によって内蓋５０が薬剤保持体６０を収納部３１に向って押すことになり、これにより薬剤保持体６０は収納部３１の内部底面に押し付けられ、つまり風洞部３２の開口を蓋するように配置される。
【００５４】
一方、収納部３１の上壁面３１ｂに取り付けられている一対のバネ７３は薬剤保持体６０を内蓋５０との嵌合方向に、つまり下方に押圧する。この押圧により薬剤保持体６０の下面（嵌合方向の前端面）に設けられている一対の電極６５は本体３０側に配置されている電気接点７２と弾接し、電極６５と電気接点７２は安定かつ良好に電気的に接続される。
【００５５】
この接続により、薬剤保持体６０の電極６５間に配置されている抵抗体６６の抵抗値を本体３０側に設けた回路によって読み取ることが可能となる。薬剤保持体６０には例えば有効使用期間（日数）の異なるものがあり、有効使用期間に応じて抵抗体６６の抵抗値を変える。これにより、抵抗値を読み取ることで薬剤保持体６０の有効使用期間を検知することができ、また薬剤保持体６０の有無についても検知することができる。
【００５６】
上記のようにして薬剤保持体６０を収納し、ファン７１を作動させれば、気流が薬剤保持体６０の担体６２内を通過し、薬剤を含んだ気流が拡散される。ファン７１は本体３０の前面に配置されている電源スイッチのボタン７７（図１参照）を押すことにより作動する。なお、電源には電池を用いるものとなっており、本体３０の底面側には図３に示したように電池７８が収納されている。
【００５７】
気流はこの例では図１に示したように本体３０の側面の周縁に形成されている隙間３７から排気され、即ち隙間３７によって排気口が構成されている。また、本体３０の側面において外蓋４０と本体３０との間にも隙間３８が形成されており、この隙間３８は吸気口として機能する。なお、薬剤保持体６０を保持する内蓋５０には前述したように多数のスリット５８が形成されているため、吸気口から吸気された気流は薬剤保持体６０の内蓋５０との対向面側に良好に流入し、これにより担体６２内を効率良く通過するものとなっている。
【００５８】
以上説明したように、この例では外蓋４０と内蓋５０は本体３０に回動可能に軸支され、本体３０と一体となっているため、蓋（外蓋４０，内蓋５０）を紛失する恐れはない。また、蓋を単独で、つまり取り外して扱うといったことがないため、蓋の破損も生じにくく、破損に対しても有利な構成となっている。
【００５９】
外蓋４０及び内蓋５０を開く際には本体３０の側板３６に配置されているレバー７５の操作部７５ｂを単に押し下げれば良く、これにより簡単に外蓋４０及び内蓋５０を開くことができる。レバー７５の操作は薬剤拡散装置本体３０がテーブル等の上に設置されたままの状態で行うことができ、よって蓋開閉時に薬剤拡散装置を持ち上げなくても良く、薬剤保持体６０の着脱作業を簡易に行うことができる。
【００６０】
また、外蓋４０及び内蓋５０は内蓋５０の軸支部５２に形成されている規制面５２ｂが本体３０に突き当たることにより、回動が規制され、所定の角度しか開かない構造となっているため、本体３０の内部が大きく露出することはなく、よって内部構造物の破損や怪我等が生じる危険も少ない。
【００６１】
なお、この例では蓋を二重蓋構造とし、内蓋５０に形成したバネ片５３により、内蓋５０と外蓋４０は互いに反対方向に、つまり離れる方向に回動付勢されているため、外蓋４０を閉じた際には前述したように薬剤保持体６０を本体３０の収納部３１に良好に格納することができる。一方、外蓋４０及び内蓋５０を開く際にはこのバネ片５３のバネ力が蓋開きの補助をする。つまり、レバー７５を操作して外蓋４０の係止片４３の係止を解除すれば、バネ片５３のバネ力（弾性復帰力）により外蓋４０及び内蓋５０は開く方向に飛び出し、速やかに開くものとなっている。
【００６２】
外蓋４０及び内蓋５０の開き動作がさらに迅速かつ良好に行われるようにするために、図１６に示したように本体３０の支持部３３の軸３３ａにねじりバネ７８を配置するようにしてもよい。
【００６３】
図１７は蓋を二重蓋構造ではなく、一つ（一重蓋）とした場合の構成を示したものである。この例では蓋４０’は二重蓋構造の外蓋４０に、薬剤保持体６０を保持するための保持部４５を設けた構造となっている。なお、図５と対応する部分には同一符号を付してある。蓋として二重蓋ではなく、このような蓋４０’を採用してもよい。
【００６４】
なお、上述した例では薬剤拡散装置はファン７１を内蔵するものとなっているが、薬剤拡散装置はファンを内蔵しない自然蒸散型のものであってもよい。
【符号の説明】
【００６５】
３０  本体                            ３１  収納部
３３  支持部                          ３３ａ  軸
３４  溝                              ３７，３８  隙間
４０  外蓋                            ４３  係止片
４３ａ  係止爪                        ５０  内蓋
５３  バネ片                          ５５  保持部
５７  軸                              ５８  スリット
６０  薬剤保持体                      ６５  電極
６６  抵抗体                          ７２  電気接点
７３  バネ                            ７４  フック
７４ｅ  係合部                        ７５  レバー
７５ｂ  操作部                        ７６  コイルバネ
【図１】
2012110250.tif 000003
【図２】
2012110250.tif 000004
【図３】
2012110250.tif 000005
【図４】
2012110250.tif 000006
【図５】
2012110250.tif 000007
【図６】
2012110250.tif 000008
【図７】
2012110250.tif 000009
【図８】
2012110250.tif 000010
【図９】
2012110250.tif 000011
【図１０】
2012110250.tif 000012
【図１１】
2012110250.tif 000013
【図１２】
2012110250.tif 000014
【図１３】
2012110250.tif 000015
【図１４】
2012110250.tif 000016
【図１５】
2012110250.tif 000017
【図１６】
2012110250.tif 000018
【図１７】
2012110250.tif 000019
【図１８】
2012110250.tif 000020